【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
端末装置の無線通信を中継する中継通信局を含む空中滞在型の通信中継装置を備えるシステムであって、
互いに時間同期され、前記空中滞在型の通信中継装置の前記中継通信局との間のフィーダリンクにおいて同一周波数で互いに異なる中継信号を送受信する複数のゲートウェイ局を備え、
前記中継通信局は、前記複数のゲートウェイ局との間のフィーダリンクにおいて同一周波数で互いに異なる中継信号を送受信するフィーダリンク通信部と、前記複数のゲートウェイ局との間に形成する複数のフィーダリンク間の干渉を抑圧する干渉抑圧部とを備え、
前記複数のゲートウェイ局はそれぞれパイロット信号を送信し、
前記フィーダリンク通信部は、前記複数のゲートウェイ局それぞれから送信されたパイロット信号を受信し、前記受信した複数のパイロット信号をそれぞれフィルターで分離し、
前記干渉抑圧部は、
前記フィーダリンクの送信信号帯域を分割せずに、前記パイロット信号の受信結果に基づいて前記送信信号帯域内の一周波数を推定周波数として推定した伝搬路応答を用いて、前記ゲートウェイ局から送信した送信信号が他のゲートウェイ局に対応する指向性ビームで受信されて干渉する干渉信号を抑圧する第１干渉抑圧処理と、
前記フィーダリンクの送信信号帯域を複数の分割周波数帯に分割して、前記分割周波数帯ごとに、前記パイロット信号の受信結果に基づいて前記分割周波数帯内の一周波数を推定周波数として推定した伝搬路応答を用いて前記干渉信号を抑圧する第２干渉抑圧処理と、を切り替えて実行することを特徴とするシステム。
【請求項２】
請求項１のシステムにおいて、
前記第１干渉抑圧処理は、
前記複数のゲートウェイ局それぞれから受信した前記パイロット信号の受信結果に基づいて、前記複数のゲートウェイ局それぞれと前記通信中継装置のフィーダリンク用アンテナとの間の複数の伝搬路応答を、前記送信信号帯域の中心周波数を推定周波数として推定し、
前記複数のゲートウェイ局それぞれについて、前記ゲートウェイ局から送信した送信信号が他のゲートウェイ局に対応する指向性ビームで受信されて干渉する干渉信号を抑圧するためのウェイトを、前記複数の伝搬路応答に基づいて計算し、
前記複数のゲートウェイ局それぞれについて、前記ゲートウェイ局に対応する指向性ビームで受信した受信信号から、他のゲートウェイ局に対応する指向性ビームで受信した受信信号に前記他のゲートウェイ局に対応する前記ウェイトを掛けて減算する、
ことを特徴とするシステム。
【請求項３】
請求項１又は２のシステムにおいて、
前記第２干渉抑圧処理は、
前記フィーダリンクの送信信号帯域を複数の分割周波数帯に分割し、前記複数のゲートウェイ局それぞれから受信した前記パイロット信号の受信結果に基づいて、前記複数のゲートウェイ局それぞれと前記通信中継装置のフィーダリンク用アンテナとの間の複数の伝搬路応答を、前記複数の分割周波数帯それぞれの中心周波数を推定周波数として、前記複数の分割周波数帯それぞれについて推定し、
前記複数のゲートウェイ局それぞれについて、前記分割周波数帯ごとに、前記ゲートウェイ局から送信した送信信号が他のゲートウェイ局に対応する指向性ビームで受信されて干渉する干渉信号を抑圧するためのウェイトを、前記複数の伝搬路応答に基づいて計算し、
前記複数のゲートウェイ局それぞれについて、前記分割周波数帯ごとに、前記ゲートウェイ局に対応する指向性ビームで受信した受信信号から、他のゲートウェイ局に対応する指向性ビームで受信した受信信号に前記他のゲートウェイ局に対応する前記ウェイトを掛けて減算する、
ことを特徴とするシステム。
【請求項４】
請求項１乃至３のいずれかのシステムにおいて、
前記干渉抑圧部は、通常時に前記第１干渉抑圧処理を実行し、前記フィーダリンクのＳＩＮＲが劣化したときに、又は、前記フィーダリンクのＳＩＮＲの劣化が予測されるときに、前記第１干渉抑圧処理から前記第２干渉抑圧処理に切り替えることを特徴とするシステム。
【請求項５】
請求項４のシステムにおいて、
前記フィーダリンク通信部は、指向性ビームの角度を変化させるビームフォーミング可能なフィーダリンク用のアンテナを備え、
前記干渉抑圧部は、前記ビームフォーミングによる前記フィーダリンク用のアンテナの前記指向性ビームの角度変化が所定の閾値以上になったときに前記第１干渉抑圧処理から前記第２干渉抑圧処理に切り替えることを特徴とするシステム。
【請求項６】
請求項４のシステムにおいて、
前記干渉抑圧部は、前記複数のゲートウェイ局から送信された複数のパイロット信号の間の受信レベル比が所定の閾値以下になったときに前記第１干渉抑圧処理から前記第２干渉抑圧処理に切り替えることを特徴とするシステム。
【請求項７】
請求項４のシステムにおいて、
前記干渉抑圧部は、前記複数のパイロット信号の受信結果に基づいて推定した前記伝搬路応答の複数の固有値を算出し、前記複数の固有値の少なくとも一つが所定の閾値以下になったときに前記第１干渉抑圧処理から前記第２干渉抑圧処理に切り替えることを特徴とするシステム。
【請求項８】
請求項４のシステムにおいて、
前記干渉抑圧部は、前記フィーダリンク用のアンテナの指向性ビームの主ビーム方向が目標とするゲートウェイ局に対向する方向からずれる角度が所定の閾値以上になったときに前記第１干渉抑圧処理から前記第２干渉抑圧処理に切り替えることを特徴とするシステム。
【請求項９】
請求項１乃至８のいずれかのシステムにおいて、
前記複数の分割周波数帯は、前記フィーダリンクの送信信号帯域を等分割した周波数帯であることを特徴とするシステム。
【請求項１０】
請求項１乃至８のいずれかのシステムにおいて、
前記複数の分割周波数帯は、前記フィーダリンクの送信信号帯域における前記干渉信号の分布に応じて前記フィーダリンクの送信信号帯域を非等分割した周波数帯であることを特徴とするシステム。
【請求項１１】
空中滞在型の通信中継装置に組み込まれ端末装置の無線通信を中継する中継通信局であって、
互いに時間同期された複数のゲートウェイ局との間のフィーダリンクにおいて同一周波数で互いに異なる中継信号を送受信するフィーダリンク通信部と、
前記複数のゲートウェイ局との間に形成する複数のフィーダリンク間の干渉を抑圧する干渉抑圧部と、を備え、
前記フィーダリンク通信部は、前記複数のゲートウェイ局それぞれから送信されたパイロット信号を受信し、前記受信した複数のパイロット信号をそれぞれフィルターで分離し、
前記干渉抑圧部は、
前記フィーダリンクの送信信号帯域を分割せずに、前記パイロット信号の受信結果に基づいて前記送信信号帯域内の一周波数を推定周波数として推定した伝搬路応答を用いて、前記ゲートウェイ局から送信した送信信号が他のゲートウェイ局に対応する指向性ビームで受信されて干渉する干渉信号を抑圧する第１干渉抑圧処理と、
前記フィーダリンクの送信信号帯域を複数の分割周波数帯に分割して、前記分割周波数帯ごとに、前記パイロット信号の受信結果に基づいて前記分割周波数帯内の一周波数を推定周波数として推定した伝搬路応答を用いて前記干渉信号を抑圧する第２干渉抑圧処理と、を切り替えて実行することを特徴とする中継通信局。
【請求項１２】
請求項１１の中継通信局を有することを特徴とする空中滞在型の通信中継装置。
【請求項１３】
空中滞在型の通信中継装置に組み込まれ端末装置の無線通信を中継する中継通信局におけるフィーダリンクの干渉抑圧方法であって、
互いに時間同期された複数のゲートウェイ局それぞれから送信されたパイロット信号を受信することと、
前記受信した複数のパイロット信号をそれぞれフィルターで分離することと、
前記フィーダリンクの送信信号帯域を分割せずに、前記パイロット信号の受信結果に基づいて前記送信信号帯域内の一周波数を推定周波数として推定した伝搬路応答を用いて、前記ゲートウェイ局から送信した送信信号が他のゲートウェイ局に対応する指向性ビームで受信されて干渉する干渉信号を抑圧する第１干渉抑圧処理と、前記フィーダリンクの送信信号帯域を複数の分割周波数帯に分割して、前記分割周波数帯ごとに、前記パイロット信号の受信結果に基づいて前記分割周波数帯内の一周波数を推定周波数として推定した伝搬路応答を用いて前記干渉信号を抑圧する第２干渉抑圧処理と、を切り替えて実行することと、
を含むことを特徴とする干渉抑圧方法。
【請求項１４】
空中滞在型の通信中継装置に組み込まれ端末装置の無線通信を中継する中継通信局に設けられたコンピュータ又はプロセッサで実行されるプログラムであって、
互いに時間同期された複数のゲートウェイ局との間のフィーダリンクにおいて同一周波数で互いに異なる中継信号を送受信するためのプログラムコードと、
前記複数のゲートウェイ局それぞれから送信されたパイロット信号を受信するためのプログラムコードと、
前記受信した複数のパイロット信号をそれぞれフィルターで分離するためのプログラムコードと、
前記フィーダリンクの送信信号帯域を分割せずに、前記パイロット信号の受信結果に基づいて前記送信信号帯域内の一周波数を推定周波数として推定した伝搬路応答を用いて、前記ゲートウェイ局から送信した送信信号が他のゲートウェイ局に対応する指向性ビームで受信されて干渉する干渉信号を抑圧する第１干渉抑圧処理と、前記フィーダリンクの送信信号帯域を複数の分割周波数帯に分割して、前記分割周波数帯ごとに、前記パイロット信号の受信結果に基づいて前記分割周波数帯内の一周波数を推定周波数として推定した伝搬路応答を用いて前記干渉信号を抑圧する第２干渉抑圧処理と、を切り替えて実行するためのプログラムコードと、
を含むことを特徴とするプログラム。
【手続補正２】
【補正対象書類名】明細書
【補正対象項目名】００１３
【補正方法】変更
【補正の内容】
【００１３】
前記システム、前記中継通信局、前記空中滞在型の通信中継装置、前記干渉抑圧方法及び前記プログラムにおいて、前記干渉抑圧部は、前記複数のパイロット信号の受信結果に基づいて推定した前記伝搬路応答の複数の固有値を算出し、前記複数の固有値の少なくとも一つが所定の閾値以下になったときに前記第１干渉抑圧処理から前記第２干渉抑圧処理に切り替えてもよい。また、前記干渉抑圧部は、前記フィーダリンク用のアンテナの指向性ビームの主ビーム方向が目標とするゲートウェイ局に対向する方向からずれる角度が所定の閾値以上になったときに前記第１干渉抑圧処理から前記第２干渉抑圧処理に切り替えてもよい。
【手続補正３】
【補正対象書類名】明細書
【補正対象項目名】０１２９
【補正方法】変更
【補正の内容】
【０１２９】
また、本実施形態によれば、ＨＡＰＳ２０のフィーダリンクのＳＩＮＲの低下を抑制しつつ、フィーダリンクの周波数利用効率の向上を図ることができる。